(57)【要約】      （修正有）【課題】リムーバブル仕様の磁気ディスク装置において、機器本体からの離脱時には内部の駆動ユニットを衝撃から保護でき、機器本体に装着されているときには、駆動ユニットを拘束して駆動でき、ハードディスクへの記録・再生の際の動作精度を高めることができる。【解決手段】磁気ディスク装置１には、ハードディスクおよび磁気ヘッド装置を内蔵した駆動ユニット１０と拘束部材２３とが設けられている。磁気ディスク装置１が機器本体から離脱しているときは、拘束部材２３が解除位置へ移動させられて、駆動ユニット１０は、拘束が解除されて弾性支持される。磁気ディスク装置１が機器本体に装着されるとときに、第１の係合手段３１ｄ１によって拘束部材２３が拘束位置へ移動させられ、磁気ディスク装置１内で駆動ユニット１０が拘束される。【選択図】    図４
2004310821.tif 000002
【特許請求の範囲】
【請求項１】
ケース内に、磁気ディスクを内蔵して駆動する駆動ユニットと、前記駆動ユニットと機器本体とを接続するコネクタ手段とが設けられて、前記機器本体に対して着脱自在な磁気ディスク装置において、
前記ケースには、前記駆動ユニットを弾性支持する弾性支持部材と、前記駆動ユニットを拘束する拘束位置とその拘束を解除する解除位置との間で動作する拘束部材とが設けられ、前記拘束部材は、ケースの外部からの操作力により、前記拘束位置と前記解除位置とへ動作可能とされていることを特徴とする磁気ディスク装置。
【請求項２】
前記コネクタ手段を有する側を前部、これと逆側を後部としたときに、前記拘束部材は、ケースに対して前部に向けて移動したときに前記解除位置となり、後部に向けて移動したときに前記拘束位置となる請求項１記載の磁気ディスク装置。
【請求項３】
前記拘束部材は、付勢部材により解除位置へ向けて付勢されている請求項１または２記載の磁気ディスク装置。
【請求項４】
請求項１ないし３のいずれかに記載の磁気ディスク装置が装着される機器本体を有する電子機器において、
前記機器本体には、前記磁気ディスク装置の前記コネクタが接続される本体側コネクタと、磁気ディスク装置が装着されたときに前記拘束部材を前記拘束位置へ移動させる切換え手段とが設けられていることを特徴とする電子機器。
【請求項５】
請求項２記載の磁気ディスク装置が装着される機器本体を有する電子機器において、
前記機器本体には、前記磁気ディスク装置の前記コネクタ手段が接続される本体側コネクタと、前記磁気ディスク装置が前部を本体側コネクタに向けて差し込まれるときに、前記拘束部材に係合して磁気ディスク装置の差込み力によって前記拘束部材を前記拘束位置へ移動させる第１の係合手段と、磁気ディスク装置が抜き取られるときに前記拘束部材に係合して磁気ディスク装置の抜き取り力によって前記拘束部材を前記解除位置へ移動させる第２の係合手段とが設けられていることを特徴とする電子機器。
【請求項６】
磁気ディスク装置の差込み動作に連動して動作し、磁気ディスク装置が差し込まれたときに前記第２の係合手段を前記拘束部材に係合させる切換え設定手段が設けられている請求項５記載の電子機器。
【請求項７】
請求項３記載の磁気ディスク装置が装着される機器本体を有する電子機器において、
前記機器本体には、前記磁気ディスク装置の前記コネクタ手段が接続される本体側コネクタと、前記磁気ディスク装置が前部を本体側コネクタに向けて差し込まれるときに、前記拘束部材に係合して磁気ディスク装置の差込み力によって前記拘束部材を前記付勢部材の付勢力に対抗して前記拘束位置へ移動させる切換え手段とが設けられていることを特徴とする電子機器。
【発明の詳細な説明】
【０００１】
【発明の属する技術分野】
本発明は、内部に磁気ディスクを駆動する駆動ユニットを有して、機器本体に対して着脱自在な磁気ディスク装置、および前記磁気ディスク装置とこれが装着される機器本体とを有する電子機器に関する。
【０００２】
【従来の技術】
車載用電子機器、情報家電機器、ビデオデコーダなどに使用可能な磁気ディスク装置として、前記各種機器本体に着脱自在とされたリムーバブル仕様のものがある。この種の磁気ディスク装置は、例えば以下の特許文献１や特許文献２に記載されている。
【０００３】
この磁気ディスク装置は、硬質の金属製または合成樹脂製のケースの内部に、記録媒体としてハードディスクが収納され、またケース内には、このハードディスクを回転駆動する回転駆動手段、前記ハードディスクにディジタル信号を記録しまたハードディスクからディジタル信号を再生する磁気ヘッド装置、さらに前記回転駆動手段や磁気ヘッド装置を駆動制御する制御回路、ディジタル信号処理回路、およびインターフェース回路などが収納されている。
【０００４】
ケースは、所定の厚みを有する長方形状であり、ケースの前部には、前記各種回路に接続されたコネクタ手段が設けられている。
【０００５】
機器本体には、前記コネクタ手段が接続される本体側コネクタが設けられており、前記磁気ディスク装置を機器本体に装着して、ケースに設けられたコネクタ手段を本体コネクタに嵌着することにより、ケース内の各種回路と機器本体側の回路とが接続されるようになっている。
【０００６】
従来のハードディスクを収納した磁気ディスク装置は、コンピュータや各種情報機器の内部に固定されているものであるのに対し、前記リムーバブル仕様の磁気ディスク装置は、機器本体から離脱させることが可能であるため、この離脱させた磁気ディスク装置を、落下やその他の衝撃から保護することが必要である。
【０００７】
そこで、以下の特許文献１と特許文献２に記載の発明では、前記磁気ディスク装置のケース内に緩衝部材が内蔵されて、この緩衝部材により落下などの衝撃から保護しようとしている。
【０００８】
【特許文献１】
特開平６−１７６５５５号公報
【特許文献２】
特表２００１−５０２１０３号公報
【０００９】
【発明が解決しようとする課題】
前記のリムーバブル仕様の磁気ディスク装置において、ケース内で回転駆動手段や磁気ヘッド装置を保護する緩衝部材として、弾性係数の低い軟質な弾性部材を用いると、記録動作や再生動作のエラーレートが高くなるおそれがある。
【００１０】
すなわち、現在使用されている高記録密度に対応した磁気ディスク装置では、ハードディスクに記録されるトラック密度が高く、また磁気ヘッドの記録・再生トラック幅も短くなっている。また、トラックに沿う線記録密度も高くなっている。また、この種の磁気ディスク装置では、ハードディスクの記録面の損傷を防止するために、磁気ヘッドチップとハードディスクの記録面との間にエアーベアリングを形成して、磁気ヘッドチップとハードディスク表面との摺動摩擦力を低減させている。
【００１１】
また、ハードディスクへの記録または再生動作では、磁気ヘッドチップがハードディスクの記録領域内で区分されたセクタを高速度で検索し、検索されたセクタ内のトラックに対して瞬時のうちにトラッキングするというきわめて精密な動作を行っている。
【００１２】
したがって、回転駆動手段や磁気ヘッド装置がケース内で柔らかい弾性支持部材で支持されていると、磁気ヘッド装置が前記検索のためのサーチ動作を行う際に発生する振動によって、ハードディスクと磁気ヘッド装置が動いたり振動しやすくなる。このような現象が生じると、磁気ヘッドチップとハードディスクの表面との間のスペーシングが規格以上に変動したり、さらにはトラッキングにも影響を及ぼす。その結果、ハードディスクに記録されたデータや再生されたデータのエラーレートが高くなる。
【００１３】
したがって、磁気ディスク装置のケース内に設けられる前記緩衝部材は、弾性係数の高い硬質なものとすることが必要になる。しかし、このような硬質な緩衝部材では、ケースの内部を保護するのに十分な緩衝機能を発揮できず、誤って磁気ディスク装置に落下などの大きな衝撃を与えたときに、ハードディスク表面に傷をつけたり、さらには磁気ヘッドチップを破損するなどの故障に結びつきやすくなる。
【００１４】
本発明は上記従来の課題を解決するものであり、機器本体から離脱しているときには、ケース内のハードディスクや磁気ヘッド装置を外部の衝撃などから十分に保護でき、機器本体に装着されたときには、緩衝部材による悪影響を防止できるようにした磁気ディスク装置およびこれが装着される電子機器を提供することを目的としている。
【００１５】
【課題を解決するための手段】
本発明は、ケース内に、磁気ディスクを内蔵して駆動する駆動ユニットと、前記駆動ユニットと機器本体とを接続するコネクタ手段とが設けられて、前記機器本体に対して着脱自在な磁気ディスク装置において、
前記ケースには、前記駆動ユニットを弾性支持する弾性支持部材と、前記駆動ユニットを拘束する拘束位置とその拘束を解除する解除位置との間で動作する拘束部材とが設けられ、前記拘束部材は、ケースの外部からの操作力により、前記拘束位置と前記解除位置とへ動作可能とされていることを特徴とするものである。
【００１６】
本発明の磁気ディスク装置では、機器本体から離脱させたときに、前記拘束部材を外部から動作させることにより、駆動ユニットをケース内で弾性支持状態として外部の衝撃から保護できるようになる。また機器本体に装着する直前または装着した後で、前記拘束部材を動作させて駆動ユニットを拘束することにより、記録動作や再生動作の際に、ハードディスクや磁気ヘッド装置の不要な動きを規制して、エラーレートを低下させることができる。
【００１７】
本発明では、操作者が指で前記拘束部材を動作させて、拘束部材を拘束位置と解除位置とへ移動させてもよいし、後に説明するように、機器本体に設けられた切換え手段により、前記拘束部材を動作させることも可能である。
【００１８】
例えば、前記コネクタ手段を有する側を前部、これと逆側を後部としたときに、前記拘束部材は、ケースに対して前部に向けて移動したときに前記解除位置となり、後部に向けて移動したときに前記拘束位置となるものとして構成できる。
【００１９】
このように、構成すると、磁気ディスク装置を装着する際の装着力を利用して、拘束部材を拘束位置へ移動させるなどの動作を可能にできる。
【００２０】
また、前記拘束部材は、付勢部材により解除位置方向へ向けて付勢されているものであってもよい。
【００２１】
この発明では、磁気ディスク装置が機器本体から離脱しているときには、ばねなどの付勢部材の付勢力によって拘束部材が動作させられて駆動ユニットの拘束が解除される。また、磁気ディスク装置を機器本体に装着するときに、拘束部材を付勢部材の付勢力に対抗して拘束位置へ移動させることにより、駆動ユニットを拘束状態に設置できる。
【００２２】
また、本発明は、前記のいずれかに記載の磁気ディスク装置が装着される機器本体を有する電子機器において、
前記機器本体には、前記磁気ディスク装置の前記コネクタ手段が接続される本体側コネクタと、磁気ディスク装置が装着されたときに前記拘束部材を前記拘束位置へ移動させる切換え手段とが設けられていることを特徴とするものである。
【００２３】
また、前記拘束部材が、ケースに対して前部に向けて移動したときに前記解除位置となり、後部に向けて移動したときに前記拘束位置となる磁気ディスク装置が装着される機器本体を有する電子機器において、
前記機器本体には、前記磁気ディスク装置の前記コネクタ手段が接続される本体側コネクタと、前記磁気ディスク装置が前部を本体側コネクタに向けて差し込まれるときに、前記拘束部材に係合して磁気ディスク装置の差込み力によって前記拘束部材を前記拘束位置へ移動させる第１の係合手段と、磁気ディスク装置が抜き取られるときに前記拘束部材に係合して磁気ディスク装置の抜き取り力によって前記拘束部材を前記解除位置へ移動させる第２の係合手段とが設けられていることを特徴とするものである。
【００２４】
この場合に、磁気ディスク装置の差込み動作に連動して動作し、磁気ディスク装置が差し込まれたときに前記第２の係合手段を前記拘束部材に係合させる切換え設定手段が設けられているものが好ましい。
【００２５】
あるいは、拘束部材が付勢部材で解除位置へ向けて付勢されている磁気ディスク装置が装着される機器本体を有する電子機器において、
前記機器本体には、前記磁気ディスク装置の前記コネクタ手段が接続される本体側コネクタと、前記磁気ディスク装置が前部を本体側コネクタに向けて差し込まれるときに、前記拘束部材に係合して磁気ディスク装置の差込み力によって前記拘束部材を前記付勢部材の付勢力に対抗して前記拘束位置へ移動させる切換え手段とが設けられていることを特徴とするものである。
【００２６】
前記電子機器では、磁気ディスク装置を機器本体に装着した時点で、ケース内で駆動ユニットを拘束状態にでき、磁気ディスク装置を機器本体から離脱させた時点で前記付勢部材によって拘束部材が解除方向へ自動的に動作するため、ケース内で駆動ユニットを弾性支持状態にできる。
【００２７】
【発明の実施の形態】
図１は本発明の磁気ディスク装置の分解斜視図、図２は機器本体に設けられる装着部を示すものであり、磁気ディスク装置が排出されている状態を示す斜視図、図３は前記装着部に磁気ディスク装置が装着されたときの動作を示す斜視図、図４（Ａ）（Ｂ）は、拘束部材が解除位置と拘束位置に切換えられる動作を示す部分拡大斜視図である。
【００２８】
図１に示す磁気ディスク装置１は、下部ケース２と上部ケース３と、コネクタケース４を有している。これら各ケースは合成樹脂材料で射出成形されたものであり、下部ケース２は、底面２ａと左側面２ｂと右側面２ｃおよび後側面２ｄを有する矩形状で且つ凹状に形成されたものである。前記底面２ａの前部は幅寸法が少し短い嵌合部２ｅとなっている。上部ケース３は、天井面３ａと左枠３ｂと，右枠３ｃおよび後ろ枠３ｄを有する矩形状で且つ浅い凹形状であり、天井面３ａの前部は幅寸法が少し短い嵌合部３ｅとなっている。
【００２９】
前記コネクタケース４は、上面に嵌合凹部４ａが、下面に嵌合凹部４ｂが形成され、また前記嵌合凹部４ａと嵌合凹部４ｂとを貫通する位置決め穴４ｃ，４ｃが形成されている。下部ケース２の底面２ａの前部には、上向きに突出する一対の位置決め凸部５，５が形成され、上部ケース３の天井面３ａの前部には下向きに突出する一対の位置決め凸部６，６が形成されている。
【００３０】
下部ケース２の嵌合部２ｅがコネクタケース４の嵌合凹部４ｂに嵌着され、上部ケース３の嵌合部３ｅがコネクタケース４の嵌合凹部４ａに嵌着され、このとき、下部ケース２の位置決め凸部５，５と上部ケース３の前記位置決め凸部６，６とが、前記位置決め穴４ｃ，４ｃに上下方向から嵌着されて、下部ケース２と上部ケース３およびコネクタケース４が組み合わされて、内部が空洞の矩形状のハードケースが形成される。そして、下部ケース２と上部ケース３とが、ねじ止めなどの手段で固定される。
【００３１】
前記ハードケース内には、矩形状の駆動ユニット１０が内蔵されている。この駆動ユニット１０の体積は、下部ケース２と上部ケース３とが組み合わされたときの内部の空間の容積よりも小さく、駆動ユニット１０と、底面２ａ、天井面３ａ、左側面２ｂ、右側面２ｃ、およびコネクタケース４との間にはそれぞれ隙間ができるようになっている。
【００３２】
下部ケース２の底面２ａと駆動ユニット１０との間には複数の弾性支持部材７が介在し、上部ケース３の天井面と駆動ユニット１０との間には複数の弾性支持部材８が介在している。また、下部ケース２の左側面２ｂおよび右側面２ｃと駆動ユニット１０との間、下部ケース２の後側面２ｄと駆動ユニット１０との間にもそれぞれ弾性支持部材が介在していることが好ましい。
【００３３】
前記弾性支持部材７，８などは、弾性係数の低い軟質な合成ゴム材料で、例えばブチルゴム、シリコンゴムなどで形成されており、好ましくは粘弾性を有するゴム材料から形成されている。または、前記弾性支持部材７，８として、ゴム材料などの可撓性材料で形成された袋の内部に空気や液体などの流体が封入されたものであってもよい。ケースの空間内で駆動ユニット１０が、前記弾性支持部材７，８によって、各方向へ０．１〜１ｍｍ程度の範囲で移動できるように弾性的に支持されている。
【００３４】
前記駆動ユニット１０は、薄い立方体形状のハードケース１１を有している。前記ハードケース１１は、非磁性の金属板を折り曲げて形成され、あるいは合成樹脂材料で形成されている。前記ハードケース１１の一方の側面には、前後に間隔を空けて一対の凸部１８，１８が固定されて設けられ、他方の側面にも、同様に前後に間隔を空けて一対の凸部１８，１８が固定されて設けられている。
【００３５】
ハードケース１１の内部には、磁気ディスクであるハードディスク１２と、このハードディスク１２を回転駆動するスピンドルモータなどの回転駆動手段１３が設けられている。この駆動ユニット１０は、ハードケース１１内からハードディスク１２を交換できないものであり、ハードケース１１内の密閉された空間内でハードディスク１２が回転駆動される。
【００３６】
前記ハードケース１１内には、磁気ヘッド装置１４が内蔵されている。磁気ヘッド装置１４は、ハードディスク１２の磁気記録面に対向する磁気ヘッドチップ１４ａと、この磁気ヘッドチップ１４ａに所定のロード圧を与えるロードビーム１４ｂと、前記ロードビーム１４ｂを軸１４ｄを中心に回動させるアクセスアクチュエータ１４ｃとを有している。
【００３７】
前記磁気ヘッドチップ１４ａは、ハードディスク１２の記録面に対向するスライダと、このスライダに取り付けられた磁気抵抗効果素子による読取り部と、薄膜インダクティブヘッドによる書き込み部が設けられている。ハードディスク１２へのディジタル信号の記録動作、あるいはハードディスク１２からのディジタル信号の再生動作では、高速で回転するハードディスク１２の表面のエアーベアリングにより磁気ヘッドチップ１４ａがわずかに浮上姿勢となる。そしてアクセスアクチュエータ１４ｃによりロードビーム１４ｂが揺動動作させられて、ハードディスク１２の記録面のセクタが検索され、前記読取り部と書き込み部がトラッキングして読取り動作や書き込み動作が行われる。
【００３８】
またハードケース１１の内部には、回路基板が実装されており、この回路基板に、前記回転駆動手段１３を駆動制御する制御回路、磁気ヘッド装置１４の動作を制御する制御回路、書き込み信号をフォーマット化し読取り信号をデフォーマット化するなどのディジタル信号処理回路、およびインターフェース回路などが実装されている。
【００３９】
前記コネクタケース４の内部にはコネクタ手段１６が内蔵されており、このコネクタ手段１６の各端子と、駆動ユニット１０内の前記各回路とはフレキシブルプリント基板１７の導電パターンを介して導通されている。前記フレキシブルプリント基板１７は少し撓んだ状態とされて、磁気ディスク装置１内での駆動ユニット１０の移動を許容できるようになっており、このフレキシブルプリント基板１７も、駆動ユニット１０を弾性支持する弾性支持部材として機能している。
【００４０】
前記コネクタケース４の左側面から下部ケース２の左側面２ｂの外面にかけて、前後方向に連続する溝２１が形成されており、この溝２１の途中には前後方向に延びるスリット２２が開口している。これは、コネクタケース４の右側面および下部ケース２の右側面２ｃの外面においても同じである。
【００４１】
下部ケース２の左側面２ｂの内側には拘束部材２３が設けられている。この拘束部材２３は、図示しない案内手段により左側面２ｂに沿って前後方向へ移動自在に支持されている。拘束部材２３の外面には切換え凸部２３ａが一体に突出形成されており、この切換え凸部２３ａが、前記スリット２２を通じて前記溝２１内に露出している。前記スリット２２は切換え凸部２３ａよりも前後方向の開口寸法が広くなっており、切換え凸部２３ａは前記スリット２２内で前後方向へスライドできるようになっている。
【００４２】
前記拘束部材２３には、前後に間隔を空けて拘束溝２３ｂ，２３ｂが形成されている。前記拘束溝２３ｂ，２３ｂは、後方に向けて開放された凹形状である。この拘束溝２３ｂ，２３ｂは、前記駆動ユニット１０の側面に突設された前記凸部１８，１８に対向している。また、下部ケース２の右側面２ｃの内側にも、同様に前後方向へ移動する拘束部材２３が設けられ、この拘束部材２３にも、切換え凸部２３ａと拘束溝２３ｂ，２３ｂが形成されている。なお、この実施の形態では、２つの拘束部材２３，２３が別個に動作するものとなっているが、両拘束部材２３，２３が連結されて一体に形成され、両拘束部材２３，２３が一緒に前後に移動するものであることがさらに好ましい。
【００４３】
図２と図３には、機器本体１００の内部に設けられる装着部３０を示している。
【００４４】
この装着部３０には装着枠３１が設けられている。この装着枠３１は、金属板で折り曲げ形成されたものであり、底板３１ａと左側板３１ｂおよび右側板３１ｃが設けられている。左側板３１ｂの上端部は内側に向けて折り曲げられて係合片３１ｄとなっており、右側板３１ｃの上端部も内側に向けて折り曲げられて係合片３１ｅとなっている。この係合片３１ｄは、前記磁気ディスク装置１の左側面２ｂに形成された前記溝２１に入り込むものであり、係合片３１ｅは磁気ディスク装置１の右側面２ｃに形成された前記溝２１に入り込むものである。そして、前記係合片３１ｄの後端と、係合片３１ｅの後端が、それぞれ第１の係合手段３１ｄ１，３１ｅ１となっている。
【００４５】
前記底板３１ａの上には、平板状の摺動部材３２が設けられている。この摺動部材３２には前後に直線的に延びる案内長穴３３が形成されており、この案内長穴３３が、前記底板３１ａに固定された案内凸部３４，３４に案内されて、摺動部材３２が前後方向へ摺動可能となっている。前記摺動部材３２の前端部の左右両側部は上方に向けて直角に折り曲げられた当接部３２ａ，３２ａとなっている。
【００４６】
前記摺動部材３２の後方部分には、左右両側に間隔を空けて一対の切換え穴３５，３５が形成されている。この切換え穴３５，３５は、対向間隔が広がって且つ前後方向へ平行に延びる非係合切換え部３５ａ，３５ａと、それよりも後方に位置して対向間隔が狭まり且つ前後方向へ平行に延びる係合切換え部３５ｂ，３５ｂと、さらに非係合切換え部３５ａと係合切換え部３５ｂとを結ぶ傾斜部３５ｃ，３５ｃとを有している。
【００４７】
図３に示すように、前記底板３１ａの下面に、一対の係合板４１，４１が設けられている。この係合板４１，４１は、図示しない案内手段で案内されて、前後方向と直交する左右方向へ摺動自在に支持されている。それぞれの係合板４１，４１には、摺動凸部４２，４２が固定されており、この摺動凸部４２，４２は、前記底板３１ａにおいて左右方向へ直線的に形成された案内穴４３，４３（図３参照）を経て、前記摺動部材３２の切換え穴３５，３５の内部に挿入されている。
【００４８】
前記係合板４１，４１の先部には、直角に折り曲げられた係合片４１ａ，４１ａが設けられており、この係合片４１ａ，４１ａが、第２の係合手段として機能している。
【００４９】
この実施の形態では、前記第１の係合手段３１ｄ１，３１ｅ１が、磁気ディスク装置１において拘束部材２３，２３を後方へ移動させて拘束位置とする第１の切換え手段として機能し、前記第２の係合手段である係合片４１ａ，４１ａが、前記拘束部材２３，２３を前方へ移動させて解除位置とする第２の切換え手段として機能している。また、前記係合板４１，４１と摺動凸部４２，４２および、摺動部材３２に形成された前記切換え穴３５，３５が、前記係合片４１ａ，４１ａを互いに接近させて拘束部材２３，２３と係合させ、また互いに離して拘束部材２３，２３との係合を解除するための切換え設定手段として機能している。
【００５０】
図３に示すように、前記左側板３１ｂには前後方向に延びる長穴３１ｆが形成されている。前記摺動部材３２には、左側方へ一体に突出した突出部３２ｂが設けられており、この突出部３２ｂが長穴３１ｆから外方へ突出している。そして、前記左側板３１ｂの外側には、突出部３２ｂを後方へ押し出すイジェクト部材４５が設けられている。なお、前記摺動部材３２は弱いばね材料により図２に示すように後方へ向けて付勢されていることが好ましい。
【００５１】
前記装着枠３１の前方には、本体側コネクタ５０が設けられており、この本体側コネクタ５０の嵌着部５１が後方へ向けられている。
【００５２】
次に前記磁気ディスク装置１の装着動作を説明する。
図４（Ａ）（Ｂ）は、前記装着動作を説明するものであるが、ここでは、磁気ディスク装置１の下部ケース２、装着部３０に設けられた摺動部材３２などの部材の図示を省略し、磁気ディスク装置１では、駆動ユニット１０と拘束部材２３との関係のみを図示し、また装着部３０では、第１の係合手段３１ｄ１と係合片４１ａの動作のみを説明する。また、下部ケース２の右側面２ｃに設けられた拘束部材２３の動作は、図４（Ａ）（Ｂ）に示される拘束部材２３と同じ動作であるため、ここでは左側面での動作のみを説明する。
【００５３】
磁気ディスク装置１が装着部３０から離脱しているとき、および磁気ディスク装置１が装着部３０に完全に装着される前の状態では、図４（Ａ）に示すように、磁気ディスク装置１内では、拘束部材２３が前方へ移動した解除位置となっており、凸部１８，１８が、拘束部材２３の拘束溝２３ｂ，２３ｂから外れている。したがって、磁気ディスク装置１内では、駆動ユニット１０が、弾性支持部材７，８により弾性支持された状態である。
【００５４】
また、磁気ディスク装置１を装着部３０から離脱させている間、前記拘束部材２３を図４（Ａ）に示す解除位置に安定させておくための手段として、下部ケース２内に拘束部材２３と摺動する板ばね（図示せず）を固定しておき、拘束部材２３の摺動負荷を大きくする構造を採用してもよい。あるいは拘束部材２３を弱い引っ張りコイルばねの引っ張り力や圧縮コイルばねの押圧力などのような付勢部材の付勢力によって前方（図４（Ｂ）に示すｆ方向）へ付勢し、拘束部材２３を前記解除位置に安定させておく構造を採用することが好ましい。
【００５５】
磁気ディスク装置１が装着部３０から離脱しているときには、ハードケース１１内で駆動ユニット１０は拘束部材２３による拘束を受けることなく、弾性支持部材７，８に弾性支持された状態であるため、誤って磁気ディスク装置１に大きな衝撃が与えられたときでも、駆動ユニット１０内に過大な衝撃が直接に作用するのを防止でき、ハードディスク１２の表面が磁気ヘッドチップ１４ａとの衝突による損傷を受けたり、あるいは磁気ヘッドチップ１４ａが損傷するのを防止できる。
【００５６】
また、磁気ディスク装置１が離脱しているとき、装着部３０では、図２に示すように摺動部材３２が後方へ移動している。このとき、係合板４１，４１に設けられた摺動凸部４２，４２は、摺動部材３２に形成された切換え穴３５，３５の非係合切換え部３５ａ，３５ａ内に位置しているため、係合板４１，４１が左右それぞれの外側へ移動させられて、係合片４１ａ，４１ａは互いに離れた位置へ移動している。よって、装着部３０に磁気ディスク装置１が装着されるときに、係合片４１ａ，４１ａが磁気ディスク装置１の挿入を妨げない。
【００５７】
磁気ディスク装置１は、コネクタケース４が前方に向けられて、図２に示す危機本体１００の挿入口１０１から、前記装着部３０内に向けて挿入される。この挿入動作の際、左側板３１ｂから折り曲げられた係合片３１ｄと右側板３１ｃから折り曲げられた係合片３１ｅが、図１に示す下部ケース２の左側面２ｂと右側面２ｃの溝２１，２１内に入り込む。そして、前記係合片３１ｄ，３１ｅに案内されながら、磁気ディスク装置１が挿入される。よって、前記係合片３１ｄ，３１ｅは、磁気ディスク装置１を装着部３０へ装着しまた排出する際の案内手段として機能している。
【００５８】
磁気ディスク装置１が挿入されて、コネクタケース４の前面が、図２に示す摺動部材３２の当接部３２ａ，３２ａに当たると、その後は磁気ディスク装置１の挿入力によって摺動部材３２が前方へ移動する。
【００５９】
そして、磁気ディスク装置１の左側面２ｂの溝２１内に突出する切換え凸部２３ａの前端２３ａ１が、係合片３１ｄの後端の第１の係合手段３１ｄ１に当接したとき、あるいはその直前または直後に、図３に示すように、摺動凸部４２，４２が、摺動部材３２の切換え穴３５，３５の係合切換え部３５ｂ，３５ｂに入り、係合板４１，４１が互いに接近する方向へ移動させられる。よって、図４（Ｂ）に示すように、拘束部材２３に形成された切換え凸部２３ａが係合片４１ａ，４１ａの内側を前方に向けて移動した後に、その前端２３ａ１が第１の係合手段３１ｄ１に当接したときあるいはその直前または直後に、係合片４１ａが図１に示す左側面２ｂの縦溝部２１ａの内部に入り込んで、係合片４１ａが切換え凸部２３ａの後端２３ａ２に微小な隙間を介して対向する。
【００６０】
さらに、磁気ディスク装置１を本体側コネクタ５０に向けて挿入すると、拘束部材２３の切換え凸部２３ａが第１の係合手段３１ｄ１に係合して動かない状態で、磁気ディスク装置１全体が前方へ移動するため、駆動ユニット１０に設けられた凸部１８が、図４（Ｂ）の（ｉ）の位置から拘束溝２３ｂの内部に入り込んだ（ｉｉ）の位置へ移動する。すなわち、磁気ディスク装置１内で、拘束部材２３が相対的に後方へ移動して拘束位置に至り、磁気ディスク装置１内で、駆動ユニット１０が拘束された状態になる。そして、駆動ユニット１０の前部に設けられたコネクタ手段１６の前端が、本体側コネクタ５０に嵌着される。
【００６１】
したがって、磁気ディスク装置１が装着部３０に装着された状態で、磁気ディスク装置１内で、駆動ユニット１０が固定され、記録または再生動作が行われる。このとき、駆動ユニット１０が拘束された状態で、ハードディスク１２が回転駆動されて磁気ヘッド装置１４が動作するため、ハードディスク１２や磁気ヘッド装置１４が不用意に動いて、ハードディスク１２の記録面が傷ついたり、または磁気ヘッドチップ１４ａが破損するなどの故障を防止できる。
【００６２】
次に、磁気ディスク装置１を排出するときには、操作者によって図３に示すイジェクト部材４５が直接に操作されて後方へ移動し、あるいはモータの動力などによりイジェクト部材４５が後方へ移動する。このときイジェクト部材４５によって突出部３２ｂが後方へ押され、摺動部材３２が後方へ摺動する。また摺動部材３２に設けられた当接部３２ａ，３２ａによって磁気ディスク装置１が後方へ押し戻されるため、磁気ディスク装置１のコネクタ手段１６が前記本体側コネクタ５０から離脱させられる。
【００６３】
このとき、拘束部材２３の切換え凸部２３ａの後端２３ａ２が係合片４１ａに係合して拘束部材２３が停止したまま、駆動ユニット１０が後方へ移動するため、凸部１８が（ｉｉ）の位置から（ｉ）の位置へ移動し、凸部１８が拘束部材２３の拘束溝２３ｂ内から抜け出て、駆動ユニット１０が磁気ディスク装置１内において弾性支持部材７，８で弾性支持された状態となる。すなわち、磁気ディスク装置１内では拘束部材２３が相対的に前方へ移動して解除位置へ移動する。
【００６４】
凸部１８が拘束溝２３ｂから抜け出た直後の摺動部材３２の後方への移動により、摺動凸部４２，４２が切換え穴３５，３５の非係合切換え部３５ａ，３５ａへ移動して、係合板４１，４１が左右両側方へ移動し、係合片４１ａが切換え凸部２３ａから離れる。よって、磁気ディスク装置１が装着部３０から離脱できるようになる。そして、磁気ディスク装置１は機器本体１００の挿入口１０１から引き出すことができるようになる。
【００６５】
なお、本発明は前記実施の形態に限定されるものではなく種々の変更が可能である。
【００６６】
例えば、磁気ディスク装置１内において、拘束部材２３が解除位置、すなわち凸部１８が拘束溝２３ｂから外れる方向（図４（Ｂ）のｆ方向）へ向けて、引っ張りコイルばねや圧縮コイルばねなどの付勢部材で付勢されており、磁気ディスク装置１が装着部３０から外れているときに、前記付勢部材の付勢力で拘束部材２３が前記解除位置に安定しているものである場合には、前記係合片４１ａは必ずしも必要ではない。
【００６７】
この場合には、前記第１の係合手段３１ｄ１，３１ｅ１が設けられていれば、磁気ディスク装置１が装着部３０に向けて挿入される過程で、切換え凸部２３ａの前端２３ａ１が第１の係合手段３１ｄ１，３１ｅ１に当たり、その後の磁気ディスク装置１の挿入力によって、磁気ディスク装置１内で拘束部材２３が前記付勢部材の付勢力に対抗して拘束位置へ移動させられる。そして、磁気ディスク装置１が装着部３０から抜き出されるときに、拘束部材２３が前記付勢部材の付勢力によって前記解除位置へ自動的に移動する。
【００６８】
この場合に、磁気ディスク装置１が装着部３０に装着されている状態で、拘束部材２３を付勢する付勢部材の反力によって、磁気ディスク装置１が本体側コネクタ５０から離れる方向へ移動しないように、装着された磁気ディスク装置１の後側面２ｄを押さえる押圧部材などを設けておくことが好ましい。
【００６９】
【発明の効果】
以上のように、本発明によれば、機器本体から離脱した状態で、磁気ディスク装置内で、駆動ユニットを弾性的に支持してこの駆動ユニットを外部からの衝撃から保護でき、しかも磁気ディスク装置が機器本体に装着された状態では、磁気ディスク装置内で駆動ユニットを拘束して、ハードディスクへの記録または再生動作を確実に行えるようになる。
【図面の簡単な説明】
【図１】本発明の磁気ディスク装置の実施の形態を示す分解斜視図、
【図２】機器本体に設けられる装着部を示すものであり、磁気ディスク装置が排出されているときの動作状態を示す斜視図、
【図３】機器本体に設けられる装着部を示すものであり、磁気ディスク装置が装着されているときの動作状態を示す斜視図、
【図４】拘束部材による拘束動作を示す部分斜視図であり、（Ａ）は拘束解除状態、（Ｂ）は拘束状態を示す、
【符号の説明】
１  磁気ディスク装置
２  下部ケース
３  上部ケース
４  コネクタケース
７，８  弾性支持部材
１０  駆動ユニット
１１  ハードケース
１２  ハードディスク
１４  磁気ヘッド装置
１６  コネクタ手段
２３  拘束部材
２３ａ  切換え凸部
２３ｂ  拘束溝
３０  装着部
３１  装着枠
３１ｄ１，３１ｅ１  第１の係合手段
３２  摺動部材
３５  切換え穴
４１  係合板
４１ａ  係合片（第２の係合手段）
５０  本体側コネクタ
【図１】
2004310821.tif 000003
【図２】
2004310821.tif 000004
【図３】
2004310821.tif 000005
【図４】
2004310821.tif 000006